(57)【特許請求の範囲】
【請求項１】
外周面に複数の図柄が表されたリールと、前記リールを回転駆動させるモータと、前記リールの回転位置を光学的に検出する光センサと、前記リールを軸支する前記モータと前記光センサとが取り付けられるベース体と、を有するリールモジュールを備える遊技機であって、
前記ベース体は、前記光センサの一部を覆うセンサカバーを備え、
前記センサカバーは、前記リールの配置される側に向けて突出形成されるとともに、前記リールの配置されない面側から前記光センサが挿入可能なように形成された
ことを特徴とする遊技機。
【請求項２】
外周面に複数の図柄が表されたリールと、前記リールを回転駆動させるモータと、前記リールの回転位置を光学的に検出する光センサと、前記リールを軸支する前記モータと前記光センサとが取り付けられるベース体と、を有するリールモジュールを備える遊技機であって、
前記ベース体は、前記光センサの一部を覆うセンサカバーを備え、
前記リールは、前記光センサの光路を遮光可能に形成された遮光板を備え、
前記センサカバーは、前記リールの配置される側に向けて突出形成されるとともに、前記光センサの光路及び前記遮光板の通過する通過経路を遮断することなく前記光センサの略全体を覆う
ことを特徴とする遊技機。
【請求項３】
前記リールは、
複数の図柄が表された帯状シートと、前記帯状シートを円筒状に保形するとともにモータに軸支されて回転するホイールフレームと、前記帯状シートを円筒状に保形するとともに前記ホイールフレームと前記ベース体との間に位置する環状のリングフレームと、を備え、
前記ホイールフレームには、前記遮光板が前記光センサの光路を遮光可能に前記ベース体に向かって突出形成され、
前記光センサは、前記帯状シートと前記モータの軸との間に配置されるとともに、前記ホイールフレームに形成されるスポーク部に近接して配置され、
前記センサカバーは、
前記遮光板、前記帯状シート、前記モータの軸、及び前記スポーク部に干渉しない外形を有する
ことを特徴とする請求項２記載の遊技機。
【請求項４】
前記センサカバーは、前記ベース体に一体成形されることを特徴とする請求項１〜３のいずれか一項に記載の遊技機。
【発明の詳細な説明】
【技術分野】
【０００１】
本発明は、外周面に図柄の表された複数のリールを収納するリールユニットを備える遊技機に関し、特に、リールの回転位置を光学的に検出する光センサを、部品間の衝突から保護する遊技機に関する。
【背景技術】
【０００２】
スロットマシン、パチンコ機などの遊技機には、外周面に図柄の表された複数のリールの収納されたリールユニットを備えるものがある。
例えば、スロットマシンは、遊技者が遊技媒体となる遊技用のメダル（コイン）や遊技球（パチンコ球）を投入してスタートレバーを押下操作することにより、外周面に所定の絵柄や数字，文字等の図柄が表された複数のリール（通常３個のリール）が回転を開始し、定速回転後、任意のタイミングで停止ボタンが押されることでリールが停止し、停止したリール上の図柄の組合せに応じて所定数の遊技媒体が払い出されるように構成され、このような複数のリールは、一体的にユニット化されたリールユニットに収納されている。
【０００３】
リールユニットには、通常、上記のリールと、リールを回転駆動させるモータと、リールの回転位置を光学的に検出する光センサと、リールを軸支するモータと光センサとが取り付けられるベース体と、を有するリールモジュールが、水平方向に積層された状態で複数収納されている（例えば、特許文献１参照）。
【先行技術文献】
【特許文献】
【０００４】
【特許文献１】特開２００４−３２９５６９号公報
【発明の概要】
【発明が解決しようとする課題】
【０００８】
本発明は、センサを保護するセンサカバーを備える遊技機の提供を目的とする。
【課題を解決するための手段】
【０００９】
上記目的を達成するため、本発明の遊技機は、外周面に複数の図柄が表されたリールと、前記リールを回転駆動させるモータと、前記リールの回転位置を光学的に検出する光センサと、前記リールを軸支する前記モータと前記光センサとが取り付けられるベース体と、を有するリールモジュールを備える遊技機であって、前記ベース体は、前記光センサの一部を覆うセンサカバーを備え、前記センサカバーは、前記リールの配置される側に向けて突出形成されるとともに、前記リールの配置されない面側から前記光センサが挿入可能なように形成された構成としてある。
【図面の簡単な説明】
【００１１】
【図１】遊技機の概略正面図である。
【図２】遊技機の内部構成を示す概略斜視図である。
【図３】リールユニットの外観斜視図を示し、（ａ）は、前方から見た斜視図であり、（ｂ）は、後方から見た斜視図である。
【図４】リールユニットの分解斜視図である。
【図５】リールモジュールの分解斜視図である。
【図６】光センサとセンサカバーの外観を示す斜視図である。
【図７】センサカバーの正面図である。
【図８】光センサとセンサカバーの図７における断面図を示し、（ａ）は、Ａ−Ａ断面図であり、（ｂ）は、Ｂ−Ｂ断面図である。
【図９】リールモジュールを示し、（ａ）は、正面図であり、（ｂ）はＣ−Ｃ断面図である。
【発明を実施するための形態】
【００１２】
以下、本発明に係る遊技機の好ましい実施形態について、各図を参照して説明する。
リールユニットを備える遊技機には、スロットマシンをはじめ、パチンコ機など様々な種類があるが、本実施形態では、スロットマシンを実施例に挙げて説明する。
【００１３】
本実施形態のスロットマシン１は、複数のリールを回転させることによって遊技媒体であるメダルを獲得できる一般的な回胴式遊技機であるものの、前述したリールモジュールの組み立てに際して、部品間の衝突から光センサを保護することができるようになっている。
以下、このような作用効果を発揮する本実施形態に係るスロットマシン１の各部の構成について詳述する。
【００１４】
［スロットマシン本体］
図１は、スロットマシンの外観を示す概略正面図、図２は、スロットマシンの内部構成を示す概略斜視図である。
これらの図に示すように、本実施形態のスロットマシン１は、複数のリール４１ａ，４１ｂ，４１ｃを回転させることによって遊技媒体であるメダルを獲得することができる回胴式遊技機を構成している。
【００１５】
スロットマシン１は、正面側が開口した筐体１ｂと、筐体１ｂの正面側を開閉可能に覆う前扉１ａとで構成され、内部には、マイクロコンピュータ等で構成された制御部１０、制御部１０からの指令により、表示器８，スピーカ９，ＬＥＤ等のランプ類を制御する演出制御部２０、及び必要な機械，装置等が収納されている。
【００１６】
前扉１ａは、図２に示すように、スロットマシン１の筐体１ｂにヒンジ等を介して開閉可能に取り付けられる扉体で、この前扉１ａに遊技操作に係る複数の操作手段が設けられて、スロットマシン１の正面部を構成している。
【００１７】
操作手段としては、メダルが投入されるメダル投入口２と、装置内部にクレジットとして貯留されたメダルをゲームに投じるベットボタン２ａと、各リール４１ａ，４１ｂ，４１ｃの回転を始動させるスタートレバー３と、回転している各リール４１ａ，４１ｂ，４１ｃを停止させる３つの停止ボタン５ａ，５ｂ，５ｃなどが設けられている。
さらに、前扉１ａには、各リール４１ａ，４１ｂ，４１ｃに表示された図柄を視認可能とする表示窓６が、各操作手段の上側に設けられている。また、前扉１ａ上部には、効果音等が出力されるスピーカ９が設けられている。
【００１８】
筐体１ｂの中央には、リール４１ａ，４１ｂ，４１ｃ備えるリールユニット４が設けられる。
また、筐体１ｂの下部には、メダルの貯留・払出しを行うメダル払出装置７が設けられる。メダル払出装置７には、メダルを貯留するホッパー７ａが設けられ、メダル投入口２より投入されたメダルは、メダルセレクタ２ｂにより検出されるとともに、ホッパー７ａに誘導されるようになっている。
【００１９】
スロットマシン１では、上記の各操作手段からの信号やメダルセレクタ２ｂからの信号に基づき、制御部１０が、リールユニット４、メダル払出装置７などの各装置を制御することで、以下のようなスロットマシン遊技が進行する。
【００２０】
具体的には、遊技者によりメダル投入口２からメダルが投入されると、メダルがメダルセレクタ２ｂにより検出され、検出信号が制御部１０に入力される。また、ベットボタン２ａが操作された場合は、その検出信号が制御部１０に入力される。制御部１０は、これらの検出信号の入力数からゲーム可能なメダル数を監視するとともに、スタートレバー３の操作を監視する。
ゲーム可能なメダル数となったときに、スタートレバー３が操作されると、制御部１０は、リールユニット４に対して、各リール４１ａ，４１ｂ，４１ｃを回転させる制御を行う。
【００２１】
さらに、制御部１０は、スタートレバー３が操作されたときに、ボーナス役、小役、再遊技役、ハズレの複数の抽選対象の中から今回ゲームの当選対象を抽選する内部抽選を行い、各停止ボタン５ａ，５ｂ，５ｃが押下操作されたタイミングに基づき、抽選結果に応じた図柄の組合せで停止するよう、回転している各リール４１ａ，４１ｂ，４１ｃの停止制御を行う。
【００２２】
また、制御部１０は、各リール４１ａ，４１ｂ，４１ｃに停止表示される図柄の組合せを判定し、所定の図柄の組合せのときには、メダル払出装置７に対して所定数のメダルを払い出す制御を行い、メダルをメダル払出口７ｂから払い出す。
【００２３】
このように構成されたスロットマシン１において、各リール４１ａ，４１ｂ，４１ｃを個別に回転可能に軸支しながら収納する装置がリールユニット４であり、このリールユニット４には、リール４１を含め、リール４１を回転駆動させるモータ４３と、リール４１の回転位置を光学的に検出する光センサ４４と、リール４１を軸支するモータ４３と光センサ４４とが取り付けられるベース体４２と、を備えるリールモジュール４０が水平方向に積層された状態で複数収納されている。
そして、ベース体４２には、光センサ４４の全部又は一部を覆うセンサカバー４８が設けられている。これにより、リールモジュールの組み立てに際して、部品間の衝突から光センサ４４を保護することができるようになっている。
以下、本実施形態に係るリールユニット４について詳述する。
【００２４】
［リールユニット］
図３は、リールユニットの外観斜視図を示し、（ａ）は、前方から見た斜視図、（ｂ）は、後方から見た斜視図であり、図４は、リールユニットの分解斜視図である。また、図５は、リールモジュールの分解斜視図である。
これらの図に示すように、本実施形態に係るリールユニット４は、それぞれ一つずつリール４１を有する三つのリールモジュール４０（４０ａ，４０ｂ，４０ｃ）と、これらを収納する収納ラック４６と、基板ユニット４７とを備え、各リール４１をそれぞれ独立して回転制御可能に構成されている。
【００２５】
本実施形態のリールモジュール４０は、収納ラック４６の左端に収納される左リールモジュール４０ａと、中央に収納される中リールモジュール４０ｂと、右端に収納される右リールモジュール４０ｃと、からなる三つのリールモジュールからなり、収納ラック４６の開口部４６1から挿着されるようになっている。
リールモジュール４０は、図５に示すように、リール４１と、ベース体４２と、モータ４３（パルスモータ）と、光センサ４４（フォトインタラプタ）と、照明ユニット４５とから構成されている。
【００２６】
リール４１は、複数種類の図柄が表された帯状シート４１１と、帯状シート４１１を円筒状に保形する環状のリングフレーム４１２と、モータ４３に軸支されつつその縁端で帯状シート４１１を円筒状に保形するホイールフレーム４１３とから構成されている。
リール４１は、ネジ３を介して軸４３２に軸止されるホイールフレーム４１３がモータ４３によって駆動されて回転するとともに、ホイールフレーム４１３に形成された遮光板４１３１が光センサ４４の光路を遮ることで、その回転位置を検出できるようになっている（図９参照）。
【００２７】
照明ユニット４５は、帯状シート４１１と軸４３２との間に配置され、帯状シート４１１の後方から図柄を照らす発光装置であり、光源としてのＬＥＤの実装されたＬＥＤ基板４５２と、これを支持する基板ホルダー４５１から構成されている。
【００２８】
ベース体４２は、略板状に成形された合成樹脂からなり、モータ４３と、光センサ４４と、照明ユニット４５の取り付け部となっている。
具体的には、図５に示すように、ベース体４２には、その後方から挿入されるモータ４３がネジ２を介して固定されるとともに、同じく後方から挿入されるセンサ４４が後述するセンサカバー４８の凹部に嵌挿されて固定されるようになっている。さらに、前方から照明ユニット４５がネジ４を介して固定されるようになっている。つまり、ベース体４２には、モータ４３と、光センサ４４と、照明ユニット４５が固定されているので、モータ４３に軸支されたリール４１もベース体４２が支えるようになっている。
このような構成から、ベース体４２は、収納ラック４６に収納された状態で、リールモジュール４０を直立不動に支える支持部としても機能するようになっている。
【００２９】
具体的には、収納ラック４６には、図４に示すように、ベース体４２の上端部４２１と下端部４２２をそれぞれ板厚方向から挟持するガイド溝４６２（４６２ａ、４６２ｂ、４６２ｃ）が、その内側上面と底面に形成され、ベース体４２をこのガイド溝４６２に沿って挿入するとともに、ベース体４２の上下に形成された固定部４２３においてネジ１を介して収納ラック４６と固定することで、各リール４１を回転自在としながらリールモジュール４０を揺動不能に収納ラック４６に固定することができるようになっている。
【００３０】
また、ベース体４２には、モータ４３と、光センサ４４と、照明ユニット４５が固定されているので、モータ４３からのモータ配線４３１と、光センサ４４からのセンサ配線４４１と、ＬＥＤ基板４５２からのＬＥＤ配線４５２１がベース体４２に集結することになる。
そこで、ベース体４２は、これらの配線をリールモジュール４０ごとに配線ケーブルＫ（Ｋａ，Ｋｂ，Ｋｃ）として一つに束ねて、基板ユニット４７に向けて引き出すようなっている。
本実施形態では、収納ラック４６の上面に基板ユニット４７を配置したことから、配線ケーブルＫ（Ｋａ，Ｋｂ，Ｋｃ）は、ベース体４２の上端部４２１側から引き出されるとともに、各リール４１に絡まないように、リール４１の配置された面の反対側の面に沿って引き出されるようになっている。
【００３１】
基板ユニット４７は、図示しない中継基板と基板カバーとから構成されている。
中継基板は、所定の配線ケーブルを介して制御部１０と演出制御部２０と接続されるとともに、さらに、モータ配線４３１と、センサ配線４４１と、ＬＥＤ配線４５２１が接続されるようになっている。
【００３２】
このような構成からなるリールユニット４において、光センサ４４の全部又は一部を覆うセンサカバー４８がベース体４２に設けられ、リールモジュール４０の組み立てに際して、部品間の衝突から光センサ４４を保護することができるようになっている。
以下に、光センサ４４と、これを覆うセンサカバー４８について詳述する。
【００３３】
図６は、光センサとセンサカバーの外観を示す斜視図、図７は、センサカバーの正面図、図８は、光センサとセンサカバーの図７における断面図を示し、（ａ）は、Ａ−Ａ断面図、（ｂ）は、Ｂ−Ｂ断面図である。また、図９は、リールモジュールを示し、（ａ）は、正面図、（ｂ）はＣ−Ｃ断面図である。
【００３４】
光センサ４４は、図６に示すように、発光部４４３と受光部４４４が一体形成された、いわゆるフォトインタラプタからなり、センサ本体４４２と、センサ本体４４２に立設された発光部４４３及び受光部４４４から構成されている。
【００３５】
発光部４４３は、ＬＥＤが内蔵され、発光窓４４３ａから受光部４４４に向けて射光可能に構成され、受光部４４４は、フォトトランジスタが内蔵され、受光窓４４４ａを介して発光部４４３からの光を受光可能に構成され、発光窓４４３ａと受光窓４４４ａの間に光路が形成される。
このように構成された光センサ４４は、以下に示すように、ホイールフレーム４１３に形成された遮光板４１３１の通過の有無を検出するように取り付けられる。
【００３６】
具体的には、図９に示すように、光センサ４４は、帯状シート４１１とモータ４３の軸４３２との間に配置されるとともに、発光部４４３及び受光部４４４がホイールフレーム４１３に向かって突出するようにベース体４２に取り付けられている。
ホイールフレーム４１３は、光センサ４４に近接して設けられたスポーク部４１３ａを有し、このスポーク部４１３ａに光センサ４４に向かって突出する遮光板４１３１が形成されている。
この遮光板４１３１は、ホイールフレーム４１３の回転に伴い、発光部４４３と受光部４４４の間に形成される光路を一回転ごとに遮るようになっている。
そして、光センサ４４は、センサ配線４４１を介して制御部１０と接続され、制御部１０が発光部４４３を駆動（点灯）制御するとともに、受光部４４４からの信号レベルを監視することで、受光量の増減から遮光板４１３１の通過の有無を検出するようになっている。
【００３７】
このように光センサ４４は、部品同士が比較的接近した領域に配置されるとともに、発光部４４３及び受光部４４４が外部に突出する取り付け状態から、組み立て作業者が光センサ４４に他の部品をぶつけたり、モータ４３の軸４３２への取り付けに際して、リール４１を光センサ４４にぶつけたりする事故が発生し易い部品となっている。
そこで、光センサ４４は、以下のように構成されたセンサカバー４８により覆われている。
【００３８】
具体的には、本実施形態のセンサカバー４８は、図６〜図９に示すように、ベース体４２に一体形成され、光センサ４４のほぼ全面を覆うように形成されるとともに、その内面形状となる凹部４８０は、光センサ４４の外形とほぼ同一形状となっている。
詳細には、センサカバー４８は、本体カバー４８１、発光部カバー４８２、受光部カバー４８３からなり、これらは、光センサ４４をほぼすべて覆うように、光センサ４４の各部に対応した形状を有するとともに、遮光板４１３１、帯状シート４１１、モータの軸４３２、及びスポーク部４１３ａに干渉しない外形を有している。
【００３９】
本体カバー４８１は、センサ本体４４２を覆う部分であるとともに、光センサ４４を固定可能に構成されている。
この本体カバー４８１には、センサ本体４４２の外形と同形状の内面形状と、光センサ４４を固定する係止部４８１０とが形成されている。
係止部４８１０は、図８（ｂ）に示すように、復元可能に撓む支持部４８１０ａと、センサ本体４４２の底面に係止される鉤状の爪部４８１０ｂとを有し、凹部４８０（ベース体４２裏面）側から挿入される光センサ４４を凹部４８０内に脱抜不能に固定する。
【００４０】
発光部カバー４８２は、発光部４４３を覆う部分であり、発光部４４３の外形と同形状の内面形状を有し、発光窓４４３ａを除いた発光部４４３のすべて覆うように形成されている。
具体的には、発光部カバー４８２は、その内面形状が本体カバー４８１の内面形状と繋がりながら発光部４４３の外形と同形状に形成されるとともに、光センサ４４の発光窓４４３ａ側一面をすべて露出させる開口部４８２ａを有している。
【００４１】
受光部カバー４８３は、受光部４４４を覆う部分であり、受光部４４４の外形と同形状の内面形状を有し、受光窓４４４ａを除いた受光部４４４のすべて覆うように形成されている。
具体的には、受光部カバー４８３は、その内面形状が本体カバー４８１の内面形状と繋がりながら受光部４４４の外形と同形状に形成されるとともに、光センサ４４の受光窓４４４ａ側一面をすべて露出させる開口部４８３ａを有している。
【００４２】
このような各部を有するセンサカバー４８は、本体カバー４８１、発光部カバー４８２、受光部カバー４８３が一体となって形成されたものであり、かつ、ベース体４２と一体形成されたシームレス構造を有することから、凹部４２０に嵌挿された光センサ４４を、衝撃から強力に保護することができる。
また、内面形状となる凹部４８０を、光センサ４４の外形とほぼ同一形状とし、余分なスペースを設けていないことから、省スペース化が図られるようになっている。
【００４３】
さらに、センサカバー４８は、このような内面形状とともに、遮光板４１３１、帯状シート４１１、モータの軸４３２、及びスポーク部４１３ａに干渉しない外形を有している。
具体的には、図９に示すように、センサカバー４８は、帯状シート４１１とモータ４３の軸４３２との間に配置されるとともに、遮光板４１３１及びスポーク部４１３ａに近接して配置されるものの、これらのいずれの部品にも干渉しない外形で形成してある。
【００４４】
特に、センサカバー４８と、スポーク部４１３ａ及び遮光板４１３１との間隔は、リール４１（ホイールフレーム４１３）の回転位置によって変化するものの、それぞれ干渉しない隙間が確保されている。
図９は、遮光板４１３１が光センサ４４の光路を遮った状態であって、特に、光センサ４４の光路と、遮光板４１３１の遮光幅方向の中心とが一致した、まさに遮光板４１３１の中心で光センサ４４の光路を遮った位置関係を示した図となっている。
スポーク部４１３ａは、このような位置関係において、センサカバー４８に最も接近し、この位置関係でも両者の間には約１ｍｍの隙間が確保されている。
【００４５】
一方、遮光板４１３１は、その移動軌跡（通過経路）が円を描くことから、光センサ４４の光路と、遮光板４１３１の遮光幅方向の中心とが一致した位置関係のときよりも、遮光板４１３１が軸４３２を中心として所定の角度僅かに移動したときの方が、センサカバー４８に最も接近することになる。この所定の角度移動したときの位置関係では、本実施形態の場合、軸４３２に近い発光部カバー４８２が遮光板４１３１に近接することになり、このときでも、両者の間には約１ｍｍの隙間が確保されている。つまり、センサカバー４８は、光センサ４４の光路及び遮光板４１３１の通過する通過経路を遮断することなく光センサ４４を覆うように形成されている。
このように、センサカバー４８は、遮光板４１３１、帯状シート４１１、モータの軸４３２、及びスポーク部４１３ａに干渉しない外形を有していることから、各部品の機能を何ら損なうことなく、光センサ４４のみが保護されることになる。
【００４６】
その上、本実施形態のセンサカバー４８は、光センサ４４の外形とほぼ相似形をなす外形を有している。具体的には、センサカバー４８の外形は、光センサ４４の外形にほぼ均等な肉厚（１〜２ｍｍ）を加えた相似形となっている。
これにより、センサカバー４８は、光センサ４４を覆いながらも、その被覆容積を必要最小限に抑えることができるので、他の部品との干渉を極力避けることができる。
また、センサカバー４８は、発光窓４４３ａ側及び受光窓４４４ａ側の一面を一切覆わないように形成してあるので、この間を通過する遮光板４１３１との干渉を避けることができる。
【００４７】
また、センサカバー４８はリール４１の配置される側に向けて突出形成されているので、このようなセンサカバー４８に覆われる光センサ４４は、図９に示すように、ベース体４２において、リール４１に面する側と反対側の面から挿入されるようになっている。これにより、リール４１と何ら接触することなく、光センサ４４をベース体４２に取り付けることができるので、光センサ４４はその取り付け時においても万全に保護される。
さらに、リールモジュール４０の組み立てに際して、光センサ４４の取り付けを最後に行うことができるように、外部から直接凹部４８０に指先が到達可能な取り付け空間Ｓを形成してある。
【００４８】
リールモジュール４０の組み立て工程は、モータ４３又は照明ユニット４５、続いてリール４１の順にベース体４２に取り付けるようになっている。光センサ４４は、これらの部品の取り付けの合間に取り付け可能であるものの、最後の工程での取り付けを可能としてある。
これは、図９（ｂ）に示すように、モータ４３が隣接して配置されるものの、手先が収まる取り付け空間Ｓを形成したからである。
これにより、光センサ４４は、リールモジュール４０の最終組み立て工程で取り付けることができるので、他の部品との衝突が避けられる。
また、取り付け空間Ｓを設けることにより、他の部品を取り外すことなく光センサ４４のみ取り外しができるので、取り付け後、光センサ４４に不具合が発生したときには、光センサ４４を容易に取り外すことができ、メンテナンス時の作業性が向上する。
【００４９】
以上説明したように、本実施形態のスロットマシン１によれば、光センサ４４の全部又は一部を覆うセンサカバー４８を備えているので、リールモジュール４０の組み立てに際して、部品間の衝突から光センサ４４を保護することができる。
【００５０】
以上、本発明の遊技機の好ましい実施形態について説明したが、本発明に係る遊技機は上述した実施形態にのみ限定されるものではなく、本発明の範囲で種々の変更実施が可能であることはいうまでもない。
【００５１】
例えば、本実施形態では、センサカバー４８を、ベース体４２と一体に形成したが、センサカバー４８を単体の別部品として構成することもできる。
この場合には、本実施形態と同様、センサカバー４８内に光センサ４４を固定可能とし、光センサ４４が固定された状態のセンサカバー４８を、ベース体４２に取り付け可能に形成することで実現できる。
【００５２】
また、開口部４８２ａ，４８３ａは、光センサ４４の発光窓４４３ａ及び受光窓４４４ａ側一面をすべて露出可能に開口させたが、発光窓４４３ａ及び受光窓４４４ａのみを外部に臨ませるように開口させることもできる。
【００５３】
また、センサカバー４８は、光センサ４４をほぼすべて覆うように形成したが、一部を覆うように形成することもできる。
例えば、本実施形態では、センサカバー４８を、図７において、断面線Ａ−Ａを基準線とした線対称形に形成したが、断面線Ａ−Ａを基準線として一方の片側（例えば、図中右側）のみを覆うとともに、他方の片側（例えば、図中左側）を露出させる非線対称形のセンサカバーとして形成することもできる。
このときには、遮光板４１３１との衝突を回避すべく、リール４１の回転方向側（図中、左側）のみを覆う構成とすることもできる。
【００５４】
また、本実施形態では、図７において、断面線Ｂ−Ｂを基準線とした線対称形に形成したが、断面線Ｂ−Ｂを基準線として一方の片側（例えば、図中上側）のみを覆うとともに、他方の片側（例えば、図中下側）を露出させる非線対称形のセンサカバーとして形成することもできる。
【００５５】
また、各リールモジュール４０において、ベース体４２の左側にリール４１を配置したが、ベース体４２の右側にリール４１を配置することもできる。
また、本実施形態では、光センサ４４を凹部４８０（内面形状）に密着させて嵌挿させたが、光センサ４４と内面形状との間に隙間（例えば、０．５ｍｍ〜２ｍｍ）が形成されるように、光センサ４４を凹部４８０から離間させて配置することもできる。
例えば、センサ本体４４２と本体カバー４８１の内面形状とは密着するものの、発光部４４３と発光部カバー４８２の内面形状との間に隙間を設けるとともに、受光部４４４と受光部カバー４８３の内面形状との間に隙間を設けることもできる。
これにより、発光部４４３と受光部４４４に直接伝わる外部からの衝撃を緩和させることができる。
また、本実施形態では、スロットマシンを例に挙げて説明したが、リールユニット（リールモジュール）を備えるパチンコ機やその他の遊技機にも適用することもできる。
【符号の説明】
【００５７】
１  スロットマシン
２  メダル投入口
３  スタートレバー
４  リールユニット
４０（４０ａ，４０ｂ，４０ｃ）  リールモジュール
４１（４１ａ，４１ｂ，４１ｃ）  リール
４１１  帯状シート
４１２  リングフレーム
４１３  ホイールフレーム
４１３ａ  スポーク部
４１３１  遮光板
４２  ベース体
４３  モータ
４４  光センサ
４５  照明ユニット
４５１  基板ホルダー
４５２  ＬＥＤ基板
４６  収納ラック
４８  センサカバー
４８０  凹部（内面形状）
５（５ａ，５ｂ，５ｃ）  停止ボタン
６  表示窓
７  メダル払出装置
８  表示器
９  スピーカ
１０  制御部
２０  演出制御部
Ｓ  取り付けスペース
【図１】
0005961807.tif 000002
【図２】
0005961807.tif 000003
【図３】
0005961807.tif 000004
【図４】
0005961807.tif 000005
【図５】
0005961807.tif 000006
【図６】
0005961807.tif 000007
【図７】
0005961807.tif 000008
【図８】
0005961807.tif 000009
【図９】
0005961807.tif 000010